(57)【要約】【課題】フック具におけるフックアームとベースとを容易にアッセンブリーできるようにする。【解決手段】フックアーム２のアーム基部２１にはアーム先端２２側に向いた回動規制面２４ａを備えた張り出し部２４がある。ベース１には、フックアーム２の張り出し部２４を入り込ませると共に、フックアーム２の突き出し位置において、回動規制面２４ａに穴上部を突き当てさせる回動規制穴１３がある。付勢パーツ３は、第一部分３０に対し回動軸２０を中心に回転可能に組み合わされると共に、ベース１への固定部３１ａを備えた第二部分３１がある。ベース１には、第二部分３１の固定部３１ａを前方から入り込ませる固定凹部１４があり、固定凹部１４の下方には第二部分３１の固定部３１ａを導く案内面１５がある。【選択図】          図５
2004183736.tif 000002
【特許請求の範囲】
【請求項１】
フックアームと、
このフックアームをそのアーム基部において回動軸を横向きに配させるようにして、このフックアームをそのアーム先端を上方に向けた起立位置からこのアーム先端を側方に向けた突き出し位置までの間で回動可能とするように組み付けると共に、壁側への取付部を有するベースと、
フックアームの付勢パーツとを備えたフック具であって、
フックアームは、そのアーム基部に、このフックアームの突き出し位置において上方に向けて突き出し、かつ、そのアーム先端側に向いた回動規制面を備えた張り出し部を備えており、
ベースは、フックアームの張り出し部を入り込ませると共に、フックアームの突き出し位置において、この張り出し部の回動規制面に穴上部を突き当てさせてこのフックアームのより下方に向けた回動を規制する回動規制穴を備えており、
付勢パーツは、フックアームのアーム基部に組み込まれると共に、
このフックアームへの固定部を備えた第一部分と、
この第一部分に対し前記回動軸を中心に回転可能に組み合わされると共に、ベースへの固定部を備えた第二部分と、
この第二部分の固定部をフックアームの張り出し部に交叉させる向きに位置づけさせるようにこの第二部分を常時付勢させる付勢手段とを有しており、
ベースには、
付勢パーツにおける第二部分の固定部を前方から入り込ませる固定凹部が設けられていると共に、
この固定凹部の下方に、フックアームをベースに組み付けるにあたって、この固定凹部に入り込む位置まで付勢パーツにおける第二部分の固定部を導くこの第二部分の固定部の案内面が形成してあることを特徴とするフック具。
【請求項２】
案内面が、ベースの前面側を湾曲内側としたアール状をなすように構成してあることを特徴とする請求項１記載のフック具。
【請求項３】
フックアームとベースとに、
フックアームの起立位置において掛合を生じさせ、
この起立位置にあるフックアームのアーム先端側を押圧することによりこの掛合を解いて、付勢パーツの付勢によりフックアームの突き出し位置までの回動を許容させ、
突き出し位置にあるフックアームを前記付勢に抗しながら起立位置まで回動させることにより再び掛合を生じさせるこのフックアームの起立状態を維持させるラッチ手段が設けられていると共に、
フックアームのアーム先端側であって起立位置において前方に向けられた箇所に、前記掛合を解くためのフックアームの押圧位置を示す窪みが形成してあることを特徴とする請求項１又は請求項２記載のフック具。
【発明の詳細な説明】
【０００１】
【発明の属する技術分野】
この発明は、壁側に対して取り付けられるベースとこのベースに回動可能に組み付けられるフックアームとを有しており、吊り下げ対象物の吊り下げが必要になった場合に、ベースからフックアームを突き出させるようにこのフックアームを回動させ、このように回動されたフックアームを利用して吊り下げ対象物を壁側に吊り下げさせるように用いられるフック具の改良に関する。
【０００２】
【従来の技術】
フックケースと、このフックケースに回動可能に組み付けられるフック部材と、このフック部材をフックケースから外方に突出した使用位置へ回動付勢する開きバネとを備えて構成されるフック装置として、特許文献１に示されるものがある。
【０００３】
【特許文献１】
特開平８−２８２３８５号公報
【０００４】
【発明が解決しようとする課題】
特許文献１に示されるフック装置をアッセンブリーするにあたっては、開きバネが前記付勢力をフック部材に作用させるように、この開きバネの一端をフック部材側に押し付けさせ、かつ、この開きバネの他端をフックケース側に押し付けさせるようにして、フック部材とフックケースとの組み付けをなす必要があった。
【０００５】
図１１および図１２に示されるように、この開きバネに替えて、
フック部材１００（フックアーム）への固定部１２１ａを備えた第一部分１２１と、
この第一部分１２１に対しフック部材１００の回動軸１０１を中心に回転可能に組み合わされると共に、フックケース１１０（ベース）への固定部１２２ａを備えた第二部分１２２と、
この第二部分１２２を常時付勢させる付勢手段１２３とを有する付勢パーツ１２０を、
フック部材１００に組み込ませ、このフック部材１００とフックケース１１０との組み合わせにあたって、この付勢パーツ１２０の第二部分１２２の固定部１２２ａがフックケース１１０側に固定されるようにすれば、両者のアッセンブリーを容易なものとすることができる。
【０００６】
ただ、図１１に示されるように、フック部材１００の基部にフックケース１１０に形成させた回動規制穴１１１に入り込む張り出し部１０２を設け、フック部材１００の使用位置において、この回動規制穴１１１の穴上部にこの張り出し部１０２におけるフック部材１００の先端に向けられた面が突き当たるようにすると共に、付勢パーツ１２０の第二部分１２２がこの第二部分１２２の固定部１２２ａをフックケース１１０に形成された固定凹部１１２に前方から受け入れられてフックケース１１０側に固定されるようにし、かつ、フック部材１００の張り出し部１０２に対し付勢パーツ１２０の第二部分１２２の固定部１２２ａがフック部材１００をアッセンブリーさせない状態において交叉する向きに位置づけられるようにした場合、
フック部材１００をフックケース１１０にアッセンブリーさせるにあたっては張り出し部１０２が回動規制穴１１１に入り込むようにフック部材１００を傾斜させなければならないが、このようにフック部材１００を傾斜させてしまうと付勢パーツ１２０の第二部分１２２を固定凹部１１２に対し、その前方から単純には入れ込ませることができなくなる。
【０００７】
そこでこの発明は、この種のフック装置（フック具）を、フックアームと、このフックアームが回動可能に組み付けられるベースと、このフックアームをアーム先端を側方に向けた突き出し位置に向けて付勢するようにフックアームに組み込まれる付勢パーツの三つの部材を備えたものとすると共に、このフックアームとベースとを容易にアッセンブリーできるようにすることを主たる目的とする。
【０００８】
【課題を解決するための手段】
前記目的を達成するために、請求項１記載の発明にあっては、フック具が以下の（１）〜（７）の構成を備えたものとした。
（１）フックアームと、
（２）このフックアームをそのアーム基部において回動軸を横向きに配させるようにして、このフックアームをそのアーム先端を上方に向けた起立位置からこのアーム先端を側方に向けた突き出し位置までの間で回動可能とするように組み付けると共に、壁側への取付部を有するベースと、
（３）フックアームの付勢パーツとを備えたフック具であって、
（４）フックアームは、そのアーム基部に、このフックアームの突き出し位置において上方に向けて突き出し、かつ、そのアーム先端側に向いた回動規制面を備えた張り出し部を備えており、
（５）ベースは、フックアームの張り出し部を入り込ませると共に、フックアームの突き出し位置において、この張り出し部の回動規制面に穴上部を突き当てさせてこのフックアームのより下方に向けた回動を規制する回動規制穴を備えており、
（６）付勢パーツは、フックアームのアーム基部に組み込まれると共に、
このフックアームへの固定部を備えた第一部分と、
この第一部分に対し前記回動軸を中心に回転可能に組み合わされると共に、ベースへの固定部を備えた第二部分と、
この第二部分の固定部をフックアームの張り出し部に交叉させる向きに位置づけさせるようにこの第二部分を常時付勢させる付勢手段とを有しており、
（７）ベースには、
付勢パーツにおける第二部分の固定部を前方から入り込ませる固定凹部が設けられていると共に、
この固定凹部の下方に、フックアームをベースに組み付けるにあたって、この固定凹部に入り込む位置まで付勢パーツにおける第二部分の固定部を導くこの第二部分の固定部の案内面が形成してある。
【０００９】
かかる構成によれば、フックアームと、ベースと、付勢パーツの三つの部材を組み合わせることにより、起立位置と突き出し位置との間においてフックアームを回動可能にベースに支持させるようにすることができると共に、突き出し位置に向けてフックアームを常時付勢させるようにすることができる。
【００１０】
また、張り出し部の回動規制面が回動規制穴の穴上部に突き当たる位置より先にフックアームが回動しないようにすることができる。
【００１１】
ベースと付勢パーツを組み込ませたフックアームとを組み合わせるにあたっては、張り出し部の回動規制面が回動規制穴の穴上部の下方に位置されるように、フックアームを傾けながらこの回動規制穴に張り出し部を入れ込ませるようにベースの前方からフックアームをこのベースに組み合わせることとなるが、付勢パーツにおける第二部分の固定部はフックアームの張り出し部と交叉する向きに突き出されていることから、この第二部分の固定部はベースの固定凹部に対し前方から単純には入れ込むことができない。
【００１２】
しかるに、かかる構成によれば、ベースには、前記固定凹部の下方に、フックアームをベースに組み付けるにあたって、この固定凹部に入り込む位置まで付勢パーツにおける第二部分の固定部を導くこの第二部分の固定部の案内面が形成してあることから、前記組み付け時には、この案内面によって付勢パーツの第二部分の固定部を固定凹部にワンタッチで入れ込ませることができ、付勢パーツの第二部分を適切にベース側に固定させることができる。
【００１３】
また、請求項２記載の発明にあっては、さらに、請求項１記載のフック具における案内面が、ベースの前面側を湾曲内側としたアール状をなすように構成してあることを特徴としている。
【００１４】
かかる構成によれば、この案内面によって、前記組み付け時に、付勢パーツの第二部分の固定部をベースの固定凹部に向けてスムースに案内させることができる。
【００１５】
また、請求項３記載の発明にあっては、さらに、請求項１又は請求項２記載のフック具におけるフックアームとベースとに、
フックアームの起立位置において掛合を生じさせ、
この起立位置にあるフックアームのアーム先端側を押圧することによりこの掛合を解いて、付勢パーツの付勢によりフックアームの突き出し位置までの回動を許容させ、
突き出し位置にあるフックアームを前記付勢に抗しながら起立位置まで回動させることにより再び掛合を生じさせるこのフックアームの起立状態を維持させるラッチ手段が設けられていると共に、
フックアームのアーム先端側であって起立位置において前方に向けられた箇所に、前記掛合を解くためのフックアームの押圧位置を示す窪みが形成してあることを特徴としている。
【００１６】
かかる構成によれば、付勢パーツの付勢に抗してフックアームの起立位置にある状態を維持させることができると共に、この起立位置にあるフックアームを後方に押圧させることにより、突き出し位置まで前記付勢によってフックアームを回動させることができる。また、この突き出し位置にあるフックアームを起立位置に向けて回動操作することにより、再びフックアームが起立位置にある状態を作り出すことができると共に、この状態を維持させることができる。
【００１７】
また、前記窪みに指先を入れ込むようにして、起立位置にあるフックアームのラッチ手段による掛合を解く押圧操作を、的確に行うことができる。
【００１８】
【発明の実施の形態】
以下、図１ないし図１０に基づいて、この発明の典型的な実施の形態について説明する。
【００１９】
なお、ここで図１および図３は、実施の形態にかかるフック具を構成する各部材を分離して示しており、また、図２および図４は、かかるフック具を構成するベース１を示している。
【００２０】
また、図４は、ベース１に対しフックアーム２を組み付ける直前の状態を示しており、また、図５は、フックアーム２が突き出し位置にある状態を、図６は、フックアーム２が起立位置にある状態を、それぞれ示している。
【００２１】
また、図８は、フックアーム２のアーム基部２１の要部を拡大して示しており、また、図９は、フック具を構成する付勢パーツ３を構成する各部材を分離した状態として、また、図１０は、かかる付勢パーツ３を断面の状態として、それぞれ示している。
【００２２】
この実施の形態にかかるフック具は、壁側に対して取り付けられるベース１とこのベース１に回動可能に組み付けられるフックアーム２とを有しており、吊り下げ対象物の吊り下げが必要になった場合に、ベース１からフックアーム２を突き出させるようにこのフックアーム２を回動させ、このように回動されたフックアーム２を利用して吊り下げ対象物を壁側に吊り下げさせるように用いられるものである。
【００２３】
典型的には、かかるフック具は、自動車の車室内の壁に備え付けられて、この車室内において、各種の吊り下げ対象物の吊り下げをなすように用いられる。
【００２４】
かかるフック具は、
（１）フックアーム２と、
（２）ベース１と、
（３）付勢パーツ３とを備えている。
【００２５】
フックアーム２は、壁側への取付部１７を備えたベース１に対し、このフックアーム２をそのアーム基部２１において回動軸２０を横向きに配させるようにして、このフックアーム２をそのアーム先端２２を上方に向けた起立位置からこのアーム先端２２を側方に向けた突き出し位置までの間で回動可能とするように組み付けられるものとなっている。
【００２６】
すなわち、フックアーム２は、その起立位置において、吊り下げ対象物の吊り下げを必要としない場合に、邪魔にならないように位置づけられる。そして、前記突き出し位置において、吊り下げ対象物の吊り下げを可能とするように構成されている。
【００２７】
（フックアーム２）
図示の例にあっては、フックアーム２は、そのアーム先端２２に、その突き出し位置において、このアーム先端２２から上方に向けて突き出す鉤部２３を有している。
【００２８】
また、アーム基部２１に、前記突き出し位置において、上方に向けて突き出す張り出し部２４を有している。
【００２９】
また、アーム基部２１には、前記突き出し位置において、上方に開放して下方に向けて窪み込むと共に、アーム先端２２と反対の側において、後方に開放した付勢パーツ３のはめ込み凹部２５を有している。
【００３０】
このはめ込み凹部２５を挟んだフックアーム２の両側部には、それぞれ、軸穴２６が形成されており、図示の例では、ベース１に設けられた後述する軸穴１２と、このフックアーム２の軸穴２６とにシャフト４を通すことにより、ベース１に対しフックアーム２がアーム基部２１において回動可能に組み付けられるようになっている。
【００３１】
前記張り出し部２４は、前記はめ込み凹部２５を挟んだフックアーム２の両側部の一方によって構成されている。
【００３２】
かかる張り出し部２４は、内面を前記はめ込み凹部２５の一方の凹部壁面と同面上に位置させると共に、このはめ込み凹部２５の入り口より上方に突き出す板片状をなすように構成されていると共に、フックアーム２のアーム先端２２に向いた回動規制面２４ａを有している。図示の例では、かかる張り出し部２４は、アーム先端２２に向けられた板縁面を、張り出し部２４の頂部からアーム先端２２に近付くに連れて次第に低まる傾斜面とさせており、この傾斜面のうち、張り出し部２４の頂部側にある部分が、ベース１の後述する回動規制穴１３の穴上部にフックアーム２の突き出し位置において下方から突き当てられる前記回動規制面２４ａとして機能するようになっている。
【００３３】
また、図示の例では、前記はめ込み凹部２５を挟んだフックアーム２の両側部の他方は、このフックアーム２の回動軸２０を中心とした仮想の円の円弧に上面部を沿わせるように構成されていると共に、この上面部に後述するラッチ手段Ｒを構成するハートカム部Ｒｅを備えている。
【００３４】
（ベース１）
図示の例にあっては、ベース１は、前面側を開放させるように、上下方向に沿った一対の側板部１０、１０と、背板部１１とを組み合わせるようにして、構成されている。そして、この一対の側板部１０、１０間において、フックアーム２を回動可能に支持するように構成されている。
【００３５】
図示の例にあっては、前記一対の側板部１０、１０における上下方向ほぼ中程の位置に、それぞれ、軸穴１２が形成されており、フックアーム２のアーム基部２１における前記両側部に設けられた軸穴２６と、この一対の側板部１０、１０に設けられた軸穴１２とを、それぞれ横向きの一つの直線上に位置させるようにフックアーム２のアーム基部２１をこの一対の側板部１０、１０の間に入れ込ませた後、これらの軸穴にシャフト４を通すことにより、ベース１に対しフックアーム２がアーム基部２１において回動可能に組み付けられるようになっている。
【００３６】
かかるベース１に、フックアーム２の張り出し部２４を入り込ませると共に、フックアーム２の突き出し位置において、この張り出し部２４の回動規制面２４ａに穴上部を突き当てさせてこのフックアーム２のより下方に向けた回動を規制する回動規制穴１３が備えられている。
【００３７】
すなわち、かかるベース１に、前記のようにこのベース１に回動可能に組み付けられたフックアーム２の張り出し部２４を入れ込ませた状態で、このフックアーム２の前記起立位置と突き出し位置との間に亙る回動を許容すると共に、この突き出し位置より下方へのフックアーム２の回動を規制する回動規制穴１３が備えられている。
【００３８】
具体的には、かかる回動規制穴１３は、ベース１を前方から見た状態において、上下方向に長い溝状をなすように構成されており、ベース１の背板部１１を貫通するように設けられている。
【００３９】
また、かかる回動規制穴１３は、前記一対の側板部１０、１０の一方の基部に沿うように設けられている。
【００４０】
また、かかるベース１には、前記付勢パーツ３における後述する第二部分３１の固定部３１ａを前方から入り込ませる固定凹部１４が設けられていると共に、この固定凹部１４の下方に、フックアーム２をベース１に組み付けるにあたって、この固定凹部１４に入り込む位置まで付勢パーツ３における第二部分３１の固定部３１ａを導くこの第二部分３１の固定部３１ａの案内面１５が形成してある。
【００４１】
図示の例では、この固定凹部１４は、前記回動規制穴１３の隣に設けられている。そして、この固定凹部１４の下方に、前記案内面１５が形成されている。
【００４２】
図示の例では、固定凹部１４は、フックアーム２の回動軸２０、より具体的には、前記シャフト４の長さ方向に沿って長い溝状をなすように構成されている。この溝状をなす固定凹部１４は、その入り口を、前方に向けるように形成されている。また、この固定凹部１４は、回動軸２０の後方に位置されるように設けられている。また、この固定凹部１４は、前記回動軸２０を通る水平線上にほぼ位置されるように設けられている。
【００４３】
また、図示の例では、案内面１５は、ベース１の前面側を湾曲内側としたアール状をなすように構成してある。具体的には、かかる案内面１５は、上端縁を前記固定凹部１４の入り口の下縁とし、かつ、この上端縁よりも前方に張り出した下端縁を有すると共に、この上端縁から下端縁との間を、前記のようなアール状をなす面としている。
【００４４】
図示の例ではまた、この固定凹部１４の形成箇所と前記一対の側板部１０、１０の他方との間に、フックアーム２の回動軸２０に沿って延びる割溝１６が設けられている。そして、ベース１の背面に備えられた前記ラッチ手段Ｒを構成するトレースピンＲａが、この割溝１６を通じてベース１の前面側に突き出させられるようになっている。かかるトレースピンＲａは、両端を屈曲させたコ字状の金属棒状体Ｒｂの一端によって構成されている。図示の例では、この金属棒状体Ｒｂの他端を、ベース１の背面であって割溝１６の上方に形成させた固定穴Ｒｃに入れ込ませた状態で、この金属棒状体Ｒｂの中央部を、ベース１の背面に備え付けた金属製のバネ板Ｒｄによってベース１の前面側に向けて常時押圧するようにしてベース１の背面側に保持させており、これによりトレースピンＲａは、後方に弾性的に移動可能で、かつ、割溝１６の長さ方向に沿って移動可能とされている。
【００４５】
そして、図示の例では、ベース１に対し前記のようにフックアーム２を回動可能に組み付けることにより、かかるトレースピンＲａがフックアーム２に設けられたハートカム部Ｒｅにおけるハート島部Ｒｆを巡るカム溝Ｒｇに入り込むと共に、フックアーム２の回動に伴ってこのハート島部Ｒｆのまわりを巡回するようになっている。図示の例では、ハートカム部Ｒｅにおけるハート島部Ｒｆは、フックアーム２が起立位置にある状態において、ハート形における凹部部分Ｒｊを上方に向けるように構成されている。そして、フックアーム２が前記起立位置にある状態において、このハート島部Ｒｆの凹部部分ＲｊにトレースピンＲａが位置されるように構成されている。後述するように、フックアーム２は前記付勢パーツ３によって前記突き出し位置に向けて常時付勢されるようにベース１に組み付けられることから、フックアーム２が起立位置にある状態においてはこの付勢パーツ３の付勢によってトレースピンＲａはこのハート島部Ｒｆにおける凹部部分Ｒｊに上方から押し付けられ、これにより、フックアーム２の起立位置にある状態が維持される。そして、図示の例では、この起立位置にあるフックアーム２を前方から後方に向けて少し押圧すると、トレースピンＲａがハート島部Ｒｆの凹部部分Ｒｊから抜け出し、カム溝Ｒｇの復路Ｒｈに入り込み、これにより、前記付勢パーツ３の付勢によってフックアーム２が前記突き出し位置まで回動するようになっている。また、突き出し位置にあるフックアーム２を前記付勢パーツ３の付勢に抗しながら起立位置に向けて回動操作すると、起立位置においてトレースピンＲａはカム溝Ｒｇの往路Ｒｉを通じて再びハート島部Ｒｆの凹部部分Ｒｊに前記のように入り込むようになっている。
【００４６】
また、図示の例にあっては、ベース１の背板部１１であって、案内面１５の形成部分の下方に、丸穴状をなす貫通穴１７ａが設けられており、この貫通穴１７ａにボルトなどを入れ込むと共に、これを壁側に止め付けることにより、ベース１の壁側への取り付けをなすようにしている。すなわち、図示の例では、この貫通穴１７ａがベース１における壁側への取付部１７として主として機能するようになっている。
【００４７】
（付勢パーツ３）
付勢パーツ３は、フックアーム２のアーム基部２１、図示の例では、このフックアーム２のアーム基部２１に形成された前記はめ込み凹部２５に組み込まれると共に、このフックアーム２を前記のようにベース１に回動可能に組み付けた状態において、このフックアーム２に対し常時前記突き出し位置に向けた付勢力を作用させるように構成されている。
【００４８】
すなわち、かかる付勢パーツ３は、
（１）フックアーム２への固定部３０ａを備えた第一部分３０と、
（２）この第一部分３０に対し前記回動軸２０を中心に回転可能に組み合わされると共に、ベース１への固定部３１ａを備えた第二部分３１と、
（３）この第二部分３１の固定部３１ａをフックアーム２の張り出し部２４に交叉させる向きに位置づけさせるようにこの第二部分３１を常時付勢させる付勢手段３２とを有している。
【００４９】
図示の例では、第一部分３０は、
両筒端を開放させた長い筒状部３０ｄを有すると共に、この筒状部３０ｄの一端に外向きのフランジ３０ｅを備えたロータ３０ｃと、
両筒端を開放させた短い筒状部３０ｇを有すると共に、この筒状部３０ｇの一端に外向きのフランジ３０ｈを備えたキャップ３０ｆとを、
キャップ３０ｆの筒状部３０ｇにおけるフランジ３０ｈの設けられいない筒端からこのキャップ３０ｆの筒状部３０ｇ内に、ロータ３０ｃの筒状部３０ｄをこのロータ３０ｃの筒状部３０ｄにおけるフランジ３０ｅの設けられていない筒端側から入れ込ませ、両者を掛合させることにより構成されている。
【００５０】
一方、図示の例では、第二部分３１は、
両筒端を開放させた内側筒部３１ｂと、
この内側筒部３１ｂを内側に納めるようにして、この内側筒部３１ｂに一体に接合された外側筒部３１ｃとを有している。
【００５１】
そして、図示の例にあっては、第二部分３１の内側筒部３１ｂ内に第一部分３０のロータ３０ｃの筒状部３０ｄが通され、かつ、前記のように組み合わされた第一部分３０のロータ３０ｃのフランジ３０ｅとキャップ３０ｆのフランジ３０ｈとの間に、かかる第二部分３１が位置されるように、この第一部分３０と第二部分３１とを組み合わせて、付勢パーツ３を構成するようにしている。
【００５２】
また、図示の例では、第二部分３１の内側筒部３１ｂと外側筒部３１ｃとの間に、内側筒部３１ｂの外面を巡るようにして、コイルバネ３２ａが納められており、かつ、このコイルバネ３２ａのバネ一端が第一部分３０に、バネ他端が第二部分３１に、それぞれ止め付けられるようにしてある。
【００５３】
そして、図示の例にあっては、第二部分３１は第一部分３０のロータ３０ｃの筒状部３０ｄを中心として回転可能とされていると共に、フックアーム２のはめ込み凹部２５にはめ込まれた付勢パーツ３におけるこの第一部分３０のロータ３０ｃの筒状部３０ｄ内に前記フックアーム２の回動軸２０となるシャフト４が入れ込まれてフックアーム２に対する付勢パーツ３の最終的な組み込みがなされるようにしてある。そして、フックアーム２に後述するように固定された第一部分３０に対し、第二部分３１が、前記コイルバネ３２ａを弾性的に縮ませる向きに回動されることに伴って、この第二部分３１を回動前の位置に戻す向きの付勢力がこのコイルバネ３２ａに蓄えられるようになっている。すなわち、図示の例にあっては、かかるコイルバネ３２ａが前記付勢手段３２として機能するようになっている。
【００５４】
また、図示の例にあっては、前記のように組み合わされた第一部分３０と第二部分３１との間にシリコンオイルなどの粘性流体の充填隙間３３が形成してあり、第一部分３０のロータ３０ｃの筒状部３０ｄを中心とした第二部分３１の回動、すなわち、前記回動軸２０を中心とした第二部分３１の回動に、一定の制動力を付与させるようにしてある。
【００５５】
また、図示の例にあっては、第一部分３０の固定部は、前記キャップ３０ｆのフランジ３０ｈであって筒状部３０ｇとの連接側と反対の側に設けられた二条のリブ３０ｂ、３０ｂとして構成されている。図示の例では、フックアーム２のはめ込み凹部２５の張り出し部２４が設けられた側と反対の凹部壁面に、軸穴２６を挟むようにこのはめ込み凹部２５の入り口から底に亘る溝２５ａが設けられており、この溝２５ａに前記リブ３０ｂを入れ込ませるようにして、このはめ込み凹部２５に付勢パーツ３を入れ込ませることにより、第一部分３０がフックアーム２に固定されるようになっている。
【００５６】
そして、この実施の形態にあっては、このようにフックアーム２に組み込まれた付勢パーツ３における第二部分３１の固定部３１ａが、フックアーム２のアーム基部２１から側方に突き出されるようになっている。具体的には、フックアーム２のアーム基部２１から第二部分３１の固定部３１ａがアーム端と反対の側に向けて突き出されるように構成されている。
【００５７】
図示の例にあっては、このように突き出される付勢パーツ３の第二部分３１の固定部３１ａは、フックアーム２の張り出し部２４の突き出し方向に対しほぼ直交する向きに突き出されるようになっている。そして、この第二部分３１は、このようにフックアーム２のアーム基部２１から第二部分３１の固定部３１ａを突き出させた状態から、この固定部３１ａを張り出し部２４の張り出し側に近づける向きにのみ回動できるようになっており、かつ、この回動によって前記付勢手段３２を構成するコイルバネ３２ａに付勢力を蓄えさせるように構成されている。
【００５８】
そして、この実施の形態にあっては、かかる付勢パーツ３の第二部分３１の固定部３１ａは、この第二部分３１の外側筒部３１ｃの外面に形成された、前記回動軸２０に沿って長く延びるリブ状をなし、かつ、前記ベース１の固定凹部１４に入り込む厚さを持つように構成されている。
【００５９】
そして、図示の例にあっては、この第二部分３１の固定部３１ａをベース１の固定凹部１４に入り込ませることにより、ベース１と付勢パーツ３の第二部分３１とが固定されるようになっている。
【００６０】
（ベース１とフックアーム２とのアッセンブリー）
この実施の形態にかかるフック具は、フックアーム２と、ベース１と、付勢パーツ３の三つの部材を備え、かつ、この三つの部材を組み合わせることにより、起立位置と突き出し位置との間においてフックアーム２を回動可能にベース１に支持させるようにすることができると共に、突き出し位置に向けてフックアーム２を常時付勢させるようにすることができる。
【００６１】
前記フックアーム２は、そのアーム基部２１に、このフックアーム２の突き出し位置において上方に向けて突き出し、かつ、そのアーム先端２２側に向いた回動規制面２４ａを備えた張り出し部２４を備えている。
【００６２】
一方、前記ベース１は、フックアーム２の張り出し部２４を入り込ませると共に、フックアーム２の突き出し位置において、この張り出し部２４の回動規制面２４ａに穴上部を突き当てさせてこのフックアーム２のより下方に向けた回動を規制する回動規制穴１３を備えている。
【００６３】
この結果、張り出し部２４の回動規制面２４ａが回動規制穴１３の穴上部に突き当たる位置より先にフックアーム２が回動しないようにすることができる。
【００６４】
ここで、付勢パーツ３は、フックアーム２のアーム基部２１に組み込まれると共に、前記の第二部分３１の固定部３１ａをフックアーム２の張り出し部２４に交叉させる向きに位置づけさせるようにこの第二部分３１を常時付勢させる付勢手段３２とを有している。
【００６５】
また、ベース１には、付勢パーツ３における第二部分３１の固定部３１ａを前方から入り込ませる固定凹部１４が設けられている。
【００６６】
この結果、ベース１と付勢パーツ３を組み込ませたフックアーム２とを組み合わせるにあたっては、張り出し部２４の回動規制面２４ａが回動規制穴１３の穴上部の下方に位置されるように、フックアーム２を傾けながらこの回動規制穴１３に張り出し部２４を入れ込ませるようにベース１の前方からフックアーム２をこのベース１に組み合わせることとなるが、（図５）付勢パーツ３における第二部分３１の固定部３１ａはフックアーム２の張り出し部２４と交叉する向きに突き出されていることから、この第二部分３１の固定部３１ａはベース１の固定凹部１４に対し前方から単純には入れ込むことができない。
【００６７】
図示の例では、フックアーム２の張り出し部２４の張り出し方向と付勢パーツ３の第二部分３１の固定部３１ａの突き出し方向とはほぼ直交するようになっている。また、ベース１の固定凹部１４は、フックアーム２の回動軸２０の後方であって、かつ、この回動軸２０を通る仮想の水平線上にほぼ位置されるようになっている。
【００６８】
しかるに、この実施の形態にあっては、ベース１には、前記固定凹部１４の下方に、フックアーム２をベース１に組み付けるにあたって、この固定凹部１４に入り込む位置まで付勢パーツ３における第二部分３１の固定部３１ａを導くこの第二部分３１の固定部３１ａの案内面１５が形成してあることから、前記組み付け時には、この案内面１５によって付勢パーツ３の第二部分３１の固定部３１ａを固定凹部１４にワンタッチで入れ込ませることができ、付勢パーツ３の第二部分３１を適切にベース１側に固定させることができる。また、この案内面１５によって、付勢パーツ３の第二部分３１を付勢に抗する向きに回動させながら、この第二部分３１の固定部３１ａがベース１の固定凹部１４に入り込むようにさせることもできる。
【００６９】
図示の例では、かかる案内面１５は、さらに、ベース１の前面側を湾曲内側としたアール状をなすように構成してある。
【００７０】
この結果、図示の例では、この案内面１５によって、前記組み付け時に、付勢パーツ３の第二部分３１の固定部３１ａをベース１の固定凹部１４に向けてスムースに案内させることができる。
【００７１】
また、図示の例にあっては、フックアーム２とベース１とに、
フックアーム２の起立位置において掛合を生じさせ、
この起立位置にあるフックアーム２のアーム先端２２側を押圧することによりこの掛合を解いて、付勢パーツ３の付勢によりフックアーム２の突き出し位置までの回動を許容させ、
突き出し位置にあるフックアーム２を前記付勢に抗しながら起立位置まで回動させることにより再び掛合を生じさせるこのフックアーム２の起立状態を維持させる前記ラッチ手段Ｒが設けられている。
【００７２】
この結果、付勢パーツ３の付勢に抗してフックアーム２の起立位置にある状態を維持させることができると共に、この起立位置にあるフックアーム２を後方に押圧させることにより、突き出し位置まで前記付勢によってフックアーム２を回動させることができる。また、この突き出し位置にあるフックアーム２を起立位置に向けて回動操作することにより、再びフックアーム２が起立位置にある状態を作り出すことができると共に、この状態を維持させることができる。
【００７３】
また、図示の例では、かかるフックアーム２のアーム先端２２側であって起立位置において前方に向けられた箇所に、前記掛合を解くためのフックアーム２の押圧位置を示す窪み２７が形成してある。
【００７４】
この結果、図示の例にあっては、前記窪み２７に指先を入れ込むようにして、起立位置にあるフックアーム２のラッチ手段Ｒによる掛合を解く押圧操作を、的確に行うことができる。
【００７５】
【発明の効果】
この発明によれば、フック具を、フックアームと、このフックアームが回動可能に組み付けられるベースと、このフックアームをアーム先端を側方に向けた突き出し位置に向けて付勢するようにフックアームに組み込まれる付勢パーツの三つの部材を備えたものとして構成させることができると共に、このフックアームとベースとを容易にアッセンブリーすることができる。
【図面の簡単な説明】
【図１】フック具の分解斜視図
【図２】ベース１の斜視図
【図３】フック具の分解斜視図
【図４】ベース１の正面図
【図５】ベース１とフックアーム２との分離側面図（ベース１断面）
【図６】フック具の側面図（ベース１断面）
【図７】フック具の側面図（ベース１断面）
【図８】フックアーム２の要部斜視図
【図９】付勢パーツ３の分離斜視図
【図１０】付勢パーツ３の断面図
【図１１】フックケース１１０に固定凹部１１２を単純に設けた場合の不都合を示した側面構成図
【図１２】図１１におけるフック部材１００と付勢パーツ１２０の分離斜視構成図
【符号の説明】
１  ベース
１３  回動規制穴
１４  固定凹部
１５  案内面
２  フックアーム
２０  回動軸
２１  アーム基部
２２  アーム先端
２４  張り出し部
２４ａ  回動規制面
３  付勢パーツ
３０  第一部分
３０ａ  固定部
３１  第二部分
３１ａ  固定部
３２  付勢手段
【図１】
2004183736.tif 000003
【図２】
2004183736.tif 000004
【図３】
2004183736.tif 000005
【図４】
2004183736.tif 000006
【図５】
2004183736.tif 000007
【図６】
2004183736.tif 000008
【図７】
2004183736.tif 000009
【図８】
2004183736.tif 000010
【図９】
2004183736.tif 000011
【図１０】
2004183736.tif 000012
【図１１】
2004183736.tif 000013
【図１２】
2004183736.tif 000014